(57)【要約】【課題】車両について登録される車検証情報に合わせて、利用者により管理される車両の管理情報を更新する。【解決手段】車両情報更新装置１０は、車両を識別する識別情報を含む車両の管理情報を取得する管理情報取得部１０２と、車検証情報が登録されたサーバに、識別情報に紐づく車検証情報の提供を請求する請求部１０４と、請求部１０４による請求に応じてサーバから提供される回答情報を取得する回答情報取得部１０６と、回答情報に基づいて車両の管理状況に変更があるか否かを判定する判定部１０８と、判定部１０８により変更があると判定された場合に管理情報を更新する更新部１１０更新部と、を備える。【選択図】図４
2018005774.tif 000002
【特許請求の範囲】
【請求項１】
車両を識別する識別情報を含む前記車両の管理情報を取得する管理情報取得部と、
車検証情報が登録されたサーバに、前記識別情報に紐づく車検証情報の提供を請求する請求部と、
前記請求部による請求に応じて前記サーバから提供される回答情報を取得する回答情報取得部と、
前記回答情報に基づいて前記車両の管理状況に変更があるか否かを判定する判定部と、
前記判定部により変更があると判定された場合に前記管理情報を更新する更新部と、を備えることを特徴とする車両情報更新装置。
【請求項２】
前記更新部は、前記回答情報が前記車両の登録が抹消されたことを示す場合に、前記車両が廃車の状態であることを示すよう前記管理情報を更新することを特徴とする請求項１に記載の車両情報更新装置。
【請求項３】
前記管理情報と前記車検証情報はそれぞれ共通の項目の情報を含み、
前記回答情報が前記識別情報に紐づく前記車検証情報である場合に、前記判定部は、当該車検証情報に含まれる前記共通の項目の情報と、前記管理情報に含まれる前記共通の項目の情報とが一致するか否かを判定することを特徴とする請求項１又は２に記載の車両情報更新装置。
【請求項４】
前記共通の項目の情報に関し、前記識別情報に紐づく前記車検証情報に含まれる情報と、前記管理情報に含まれる情報とが一致しない場合には、前記更新部は、当該車検証情報に含まれる情報により、前記管理情報の情報を上書きすることを特徴とする請求項３に記載の車両情報更新装置。
【請求項５】
前記車検証情報に含まれる特定の項目に関連付けて、前記車両の付加情報を記憶する付加情報記憶部と、
前記更新部は、前記付加情報記憶部に記憶される前記付加情報を前記管理情報に追加することを特徴とする請求項１乃至４のいずれかに記載の車両情報更新装置。
【請求項６】
前記更新部により更新された前記管理情報を出力する出力部を更に備えることを特徴とする請求項１乃至５のいずれかに記載の車両情報更新装置。
【請求項７】
車両情報更新装置が、
車両を識別する識別情報を含む前記車両の管理情報を取得する管理情報取得ステップと、
車検証情報が登録されたサーバに、前記識別情報に紐づく車検証情報の提供を請求する請求ステップと、
前記請求ステップによる請求に応じて前記サーバから提供される回答情報を取得する回答情報取得ステップと、
前記回答情報に基づいて前記車両の管理状況に変更があるか否かを判定する判定ステップと、
前記判定ステップにより変更があると判定された場合に前記管理情報を更新する更新ステップと、
を実行することを特徴とする車両情報更新方法。
【請求項８】
コンピュータに、
車両を識別する識別情報を含む前記車両の管理情報を取得する管理情報取得ステップと、
車検証情報が登録されたサーバに、前記識別情報に紐づく車検証情報の提供を請求する請求ステップと、
前記請求ステップによる請求に応じて前記サーバから提供される回答情報を取得する回答情報取得ステップと、
前記回答情報に基づいて前記車両の管理状況に変更があるか否かを判定する判定ステップと、
前記判定ステップにより変更があると判定された場合に前記管理情報を更新する更新ステップと、
を実行させるためのプログラム。
【発明の詳細な説明】
【技術分野】
【０００１】
本発明は、車両情報更新装置、車両情報更新方法及びプログラムに関する。
【背景技術】
【０００２】
利用者が使用、所有する車両について、車両の登録番号、車台番号、車検の有効期限等の各種情報を管理することが行われている。例えば、下記の特許文献１においては、車両に関する各種状況を管理するシステムについて開示されている。
【先行技術文献】
【特許文献】
【０００３】
【特許文献１】特開２００３−３２３５２４号公報
【発明の概要】
【発明が解決しようとする課題】
【０００４】
ところで、利用者が車両について管理する情報（以下、車両管理情報）は、車検証の記載の名義人等の変化や廃車状況に変化がある場合には、利用者自らで更新する必要があることが一般的である。そのため、利用者の車両管理情報には、車両の最新の状況が反映されていないことがある。また、車両管理情報を利用者の作業により常に最新の状況に更新しようとすると、利用者の作業負担が甚大なものとなってしまう。
【０００５】
本発明は、上記の問題に鑑みてなされたものであり、その目的は、車両について登録される車検証情報に合わせて、利用者により管理される車両の管理情報を更新することができる車両情報更新装置、車両情報更新方法及びプログラムを提供することにある。
【課題を解決するための手段】
【０００６】
前記課題は、本発明に係る車両情報更新装置によれば、車両を識別する識別情報を含む前記車両の管理情報を取得する管理情報取得部と、車検証情報が登録されたサーバに、前記識別情報に紐づく車検証情報の提供を請求する請求部と、前記請求部による請求に応じて前記サーバから提供される回答情報を取得する回答情報取得部と、前記回答情報に基づいて前記車両の管理状況に変更があるか否かを判定する判定部と、前記判定部により変更があると判定された場合に前記管理情報を更新する更新部と、を備えることにより解決される。
【０００７】
また、前記課題は、本発明に係る車両情報更新方法によれば、車両情報更新装置が、車両を識別する識別情報を含む前記車両の管理情報を取得する管理情報取得ステップと、車検証情報が登録されたサーバに、前記識別情報に紐づく車検証情報の提供を請求する請求ステップと、前記請求ステップによる請求に応じて前記サーバから提供される回答情報を取得する回答情報取得ステップと、前記回答情報に基づいて前記車両の管理状況に変更があるか否かを判定する判定ステップと、前記判定ステップにより変更があると判定された場合に前記管理情報を更新する更新ステップと、を実行することにより解決される。
【０００８】
また、前記課題は、本発明に係るプログラムによれば、コンピュータに、車両を識別する識別情報を含む前記車両の管理情報を取得する管理情報取得ステップと、車検証情報が登録されたサーバに、前記識別情報に紐づく車検証情報の提供を請求する請求ステップと、前記請求ステップによる請求に応じて前記サーバから提供される回答情報を取得する回答情報取得ステップと、前記回答情報に基づいて前記車両の管理状況に変更があるか否かを判定する判定ステップと、前記判定ステップにより変更があると判定された場合に前記管理情報を更新する更新ステップと、を実行させることにより解決される。
【０００９】
本発明に係る車両情報更新装置、車両情報更新方法及びプログラムによれば、車両の管理情報に示される車両の管理状況に変更があるか否かを、車両の車検証情報に基づいて判定し、変更がある場合に車両の管理情報を更新できる。
これにより、車両について登録される車検証情報に合わせて、利用者により管理される車両の管理情報を更新することができる。
【００１０】
本発明の一態様では、上記の車両情報更新装置において、前記更新部は、前記回答情報が前記車両の登録が抹消されたことを示す場合に、前記車両が廃車の状態であることを示すよう前記管理情報を更新することとしてよい。
こうすることで、車両の管理情報に車両の廃車状況を反映させることができる。これにより、車両管理情報から各車両の廃車状況を把握できる。
【００１１】
本発明の一態様では、上記の車両情報更新装置において、前記管理情報と前記車検証情報はそれぞれ共通の項目の情報を含み、前記回答情報が前記識別情報に紐づく前記車検証情報である場合に、前記判定部は、当該車検証情報に含まれる前記共通の項目の情報と、前記管理情報に含まれる前記共通の項目の情報とが一致するか否かを判定することとしてよい。
こうすることで、車両の管理情報において車検証情報と一致しない事項がある場合に、車両の管理情報を更新できる。
【００１２】
本発明の一態様では、上記の車両情報更新装置において、前記共通の項目の情報に関し、前記識別情報に紐づく前記車検証情報に含まれる情報と、前記管理情報に含まれる情報とが一致しない場合には、前記更新部は、当該車検証情報に含まれる情報により、前記管理情報の情報を上書きすることとしてよい。
こうすることで、車両の管理情報が車検証情報の記載内容と一致するように、車両の管理情報を更新できる。
【００１３】
本発明の一態様では、上記の車両情報更新装置において、前記車検証情報に含まれる特定の項目に関連付けて、前記車両の付加情報を記憶する付加情報記憶部と、前記更新部は、前記付加情報記憶部に記憶される前記付加情報を前記管理情報に追加することとしてよい。
こうすることで、車両に関する付加情報を、車両の管理情報に追加することができる。これにより、車両の管理情報に含まれる情報量を増やすことができる。
【００１４】
本発明の一態様では、上記の車両情報更新装置において、前記更新部により更新された前記管理情報を出力する出力部を更に備えることとしてよい。
こうすることで、更新した車両の管理情報を提供できる。
【発明の効果】
【００１５】
本発明によれば、車両について登録される車検証情報に合わせて、利用者により管理される車両の管理情報を更新することができる。
【図面の簡単な説明】
【００１６】
【図１】本実施形態に係る車両情報更新装置による処理の概要を説明する図である。
【図２】車両情報管理システムの全体構成を示す図である。
【図３】車検証データベースに記憶される情報の一例を示す図である。
【図４】車両情報更新装置に備えられる機能を説明する図である。
【図５】付加情報テーブルの一例を示す図である。
【図６】更新前の車両管理情報テーブルの一例を示す図である。
【図７】更新後の車両管理情報テーブルの一例を示す図である。
【図８】車両情報管理システムにおける車検証情報の取得処理を説明するシーケンス図である。
【図９】車両管理情報の更新処理を説明するフロー図である。
【発明を実施するための形態】
【００１７】
以下、図１乃至図９を参照しながら、本発明の一実施形態（本実施形態）に係る車両情報更新装置１０について説明する。なお、以下に説明する実施形態は、本発明の理解を容易にするための一例であり、本発明を限定するものではない。すなわち、本発明は、その趣旨を逸脱することなく、変更、改良され得るとともに、本発明にはその等価物が含まれることは勿論である。
【００１８】
本実施形態に係る車両情報更新装置１０は、顧客の所有、使用する車両の情報を管理した情報（車両管理情報）を、車両について登録された車検証情報に基づいて更新し、更新した車両管理情報を顧客に提供する装置である。
【００１９】
［１．車両情報更新装置１０による処理の概要について］
まず、図１に基づいて、車両情報更新装置１０により実行される処理の概要について説明する。
【００２０】
（１）車両情報更新装置１０は、例えば顧客の車両管理情報が記憶された入力記憶媒体Ｍ１を取得する。車両管理情報には、車両の識別情報（登録番号、車台番号）、車両の所有者、使用者の情報、車両の登録年月日、車名、型式等の情報が含まれる。
入力記憶媒体Ｍ１に記憶される車両管理情報は、例えば顧客の入力したデータであり、車両の最新の状況（名義人の変更や廃車状況等）を反映していないことがある。
【００２１】
（２）車両情報更新装置１０は、入力記憶媒体Ｍ１に記憶される車両管理情報から車両の識別情報を抽出し、抽出した車両の識別情報に紐づく車検証情報の提供を、車検証データベースＤＢを保持する車検証情報提供サーバ２０に請求する。
【００２２】
（３）車検証情報提供サーバ２０は、車両情報更新装置１０からの請求に係る車両の識別情報に紐付けて車検証データベースＤＢに記憶される車検証情報を抽出し、抽出した車検証情報を車両情報更新装置１０に提供する。
なお、車両の登録の抹消等により該当する車両の車検証情報が存在しない場合には、該当無し（若しくは登録抹消）の通知又は車検証情報を提供しないことにより、登録抹消の旨を車両情報更新装置１０に通知することとしてよい。
【００２３】
（４）車両情報更新装置１０は、車検証情報提供サーバ２０から取得した車検証情報と、入力記憶媒体Ｍ１に記憶される車両管理情報とを比較し、車両の管理状況に変更があるか否かを判定する。そして、車両情報更新装置１０は、例えば、車両が廃車となったことや、車両の名義人が変更されたこと等により、車両の管理状況に変更がある場合には、その変更された状況を反映するよう、車両の管理情報を更新する。
また、車両情報更新装置１０は、車両の型式等に関連付けて車両管理情報に付加する付加情報を記憶しておき、これらの付加情報を車両管理情報に追加する。
【００２４】
（５）車両情報更新装置１０は、最新の車両の管理状況の反映や上記の付加情報の追加により更新された車両管理情報を出力記憶媒体Ｍ２に書き込む。こうして、車両管理情報が記憶された出力記憶媒体Ｍ２は、顧客に提供される。なお、入力記憶媒体Ｍ１が書込可能な記憶媒体である場合には、入力記憶媒体Ｍ１と出力記憶媒体Ｍ２は同一の媒体であってもよい。
【００２５】
このように、車両情報更新装置１０によれば、顧客の車両管理情報を、車両の最新の状況を反映した情報に更新することができる。
また、車両情報更新装置１０によれば、顧客の車両管理情報には含まれていない有用な情報についても付加することができる。
以下では、上記の処理を実現するために車両情報更新装置１０に備えられる構成について説明する。
【００２６】
［２．車両情報管理システム１のシステム構成について］
まず、図２に基づいて、車両情報更新装置１０を含む車両情報管理システム１のシステム構成について説明する。図２に示されるように、車両情報管理システム１は、車両情報更新装置１０及び車検証情報提供サーバ２０を備える。ここで、車両情報更新装置１０と車検証情報提供サーバ２０とは、ネットワークＮを介して相互に通信可能に接続されている。
【００２７】
車検証情報提供サーバ２０は、車検証データベースＤＢを有するデータベースサーバである。車検証情報提供サーバ２０は、車検証データベースＤＢに記憶される車検証情報の提供要求を、ネットワークＮを介して接続されるクライアント装置（ここでは車両情報更新装置１０）から受け付ける。そして、車検証情報提供サーバ２０は、受け付けた要求に応じて車検証データベースＤＢから抽出した車検証情報を、クライアント装置に対して提供する。
【００２８】
図３には、車検証データベースＤＢに記憶される車検証情報の一例を示した。図３に示されるように、車検証データベースＤＢには、車両ごとの車検証情報が記憶される。なお、車検証情報には、例えば車両の登録番号、車台番号、所有者情報（所有者の氏名、名称、住所等を含む）、使用者情報（使用者の氏名、名称、住所等を含む）、登録年月日／交付年月日、初度登録年月、車名、型式等の各種情報が記憶される。
【００２９】
車両情報更新装置１０は、車検証情報提供サーバ２０から取得した情報に基づいて、車両管理情報を更新するコンピュータである。図２に示されるように、車両情報更新装置１０は、ハードウェアとして、制御部１１、記憶部１２、通信部１３及び記憶媒体リーダライタ１４を備える。
【００３０】
制御部１１は、例えば中央処理装置（Ｃｅｎｔｒａｌ  Ｐｒｏｃｅｓｓｉｎｇ  Ｕｎｉｔ）を含み構成され、記憶部１２に記憶されるプログラムやデータに基づいて各種の演算処理を実行するとともに、車両情報更新装置１０の各部を制御する。
【００３１】
記憶部１２は、例えばメモリ、磁気ディスク装置を含み構成され、各種のプログラムやデータを記憶するほか、制御部１１のワークメモリとしても機能する。
【００３２】
通信部１３は、ネットワークインターフェースカード（ＮＩＣ）等の通信インターフェースを有し、通信インターフェースを介してネットワークＮに接続する。そして、通信部１３は、ネットワークＮを介して車検証情報提供サーバ２０等のデバイスと通信する。
【００３３】
記憶媒体リーダライタ１４は、記憶媒体に記憶される情報の読み出しと、記憶媒体への情報の書込が可能な装置である。記憶媒体は、光ディスク、フラッシュメモリ、光磁気ディスク、磁気ディスク、磁気テープ等の各種媒体としてよい。
【００３４】
［３．車両情報更新装置１０が備える機能について］
図４には車両情報更新装置１０に備えられる機能の一例を示した。図４に示されるように、車両情報更新装置１０は機能として、付加情報記憶部１００、管理情報取得部１０２、請求部１０４、回答情報取得部１０６、判定部１０８、更新部１１０及び出力部１１２を備える。
【００３５】
車両情報更新装置１０に備えられる上記各部の機能は、制御部１１が記憶部１２に記憶されるプログラムに基づいて車両情報更新装置１０の各部を動作させることにより実現されるものである。なお、上記のプログラムは、記憶媒体から読み込むこととしてもよいし、他のデバイスから取得してもよい。
以下、車両情報更新装置１０に備えられる各部の機能の詳細について説明する。
【００３６】
付加情報記憶部１００は、主に車両情報更新装置１０の記憶部１２により実現される。
付加情報記憶部１００は、車検証情報に含まれる特定の項目に関連付けて、車両の付加情報を記憶する。上記の特定の項目は、車検証データベースＤＢに記憶される車検証情報に含まれる項目のうち任意の項目としてよく特に限定されない。
【００３７】
図５には、付加情報を記憶した付加情報テーブルＴ１の一例を示した。図５に示される付加情報テーブルＴ１の例では、車検証情報に含まれる「型式」を上記の特定の項目としており、「型式」に関連付けて、「メーカー名称」、「車種名称」、「生産年式」等の各種項目が付加情報として記憶されている。
【００３８】
管理情報取得部１０２は、主に車両情報更新装置１０の制御部１１、記憶部１２及び記憶媒体リーダライタ１４により実現される。
管理情報取得部１０２は、車両を識別する識別情報を含む車両管理情報を取得する。例えば、管理情報取得部１０２は、入力記憶媒体Ｍ１に記憶された顧客の車両管理情報を、記憶媒体リーダライタ１４により読み出すことで、顧客の車両管理情報を取得することとしてよい。
また例えば、顧客の車両管理情報がサーバ（以下、顧客情報管理サーバ）に蓄積されている場合には、通信部１３を介して顧客情報管理サーバにアクセスして、顧客の車両管理情報をダウンロードしてもよい。
【００３９】
ここで、図６には、管理情報取得部１０２により取得される車両管理情報の一例として車両管理情報テーブルＴ２を示す。図６に示されるように、車両管理情報テーブルＴ２には、登録番号、車台番号を車両の識別情報（車両を一意に識別する情報）とし、当該識別情報に関連付けて、車両の所有者情報、使用者情報、車名等の各種情報が記憶される。
車両管理情報は、上記の例ではテーブルデータとして示しているが、データ形式は特に限定されるものではなく、ＣＳＶ、ＸＭＬ等の各種形式を用いることとしてよい。
【００４０】
請求部１０４は、主に車両情報更新装置１０の制御部１１、記憶部１２及び通信部１３により実現される。
請求部１０４は、車検証情報提供サーバ２０に、車両の識別情報に紐づく車検証情報の提供を請求する。例えば、請求部１０４は、車両管理情報テーブルＴ２に記憶される１以上のレコードにそれぞれ記憶される登録番号と車台番号を車両の識別情報として、当該車両の識別情報に紐づく車検証情報の提供を車検証情報提供サーバ２０に対して請求する。
なお、本実施形態では、登録番号と車台番号の組を車両の識別情報としているが、どちらか一方、又は車両について固有のその他の情報を識別情報としてもよい。
【００４１】
回答情報取得部１０６は、主に車両情報更新装置１０の制御部１１、記憶部１２及び通信部１３により実現される。
回答情報取得部１０６は、請求部１０４による請求に応じて車検証情報提供サーバ２０から提供される回答情報を取得する。
【００４２】
本実施形態では、車検証情報提供サーバ２０は、請求部１０４による請求に係る識別情報が車検証データベースＤＢに記憶されている場合には、当該識別情報を含む車検証情報を回答情報として車両情報更新装置１０に提供する。
一方、車検証情報提供サーバ２０は、車両の登録抹消（廃車）等により、請求部１０４による請求に係る識別情報が車検証データベースＤＢに記憶されていない場合には、該当する車検証情報が無い（すなわち登録抹消の）旨を、回答情報として提供する。
【００４３】
すなわち、回答情報取得部１０６は、請求部１０４による請求に係る識別情報が車検証データベースＤＢに記憶されている場合には、当該識別情報を含む車検証情報を回答情報として取得する。
一方、回答情報取得部１０６は、車両の登録抹消（廃車）等により、請求部１０４による請求に係る識別情報に紐付けられる車検証情報が車検証データベースＤＢに記憶されていない場合には、車検証情報提供サーバ２０から該当する車検証情報が無い（すなわち登録抹消の）旨を、回答情報として取得する。
なお、上記の回答情報として取得する車検証情報は、登録番号、車台番号に紐付けて車検証データベースＤＢに記憶される情報の全部又は一部であってよい。
【００４４】
判定部１０８は、主に車両情報更新装置１０の制御部１１及び記憶部１２により実現される。
判定部１０８は、回答情報取得部１０６により取得した回答情報に基づいて、車両管理情報において管理される車両の管理状況に変更があるか否かを判定する。
【００４５】
具体的には、判定部１０８は、回答情報取得部１０６により取得した回答情報が、請求部１０４による請求に係る識別情報に紐づく車検証情報がないこと、すなわち当該識別情報により識別される車両の登録が抹消されたことを示す場合には、当該車両の状況が廃車状態に変更されたと判定する。
【００４６】
また、判定部１０８は、回答情報取得部１０６により取得した回答情報が車検証情報である場合には、当該車検証情報と、管理情報取得部１０２により取得した車両管理情報とにおいて共通する項目の情報が一致するか否かを判定する。例えば、判定部１０８は、車検証情報と車両管理情報とにおいて「所有者情報」、「使用者情報」等の共通項目に格納される情報を比較し、それらの情報が一致するか否かを判定する。
なお、上記の共通する項目とは、項目名が一致するものとしてもよいし、車検証情報と車両管理情報との間で共通する項目同士を予め対応付けておいてもよい。
また、判定部１０８は、請求部１０４による請求に係る車両の識別情報が複数ある場合には、それぞれの識別情報について回答情報取得部１０６により得られた回答情報に基づいて、上記の判定処理を実行することとする。
【００４７】
更新部１１０は、主に車両情報更新装置１０の制御部１１及び記憶部１２により実現される。
更新部１１０は、判定部１０８により車両の管理状況に変更があると判定された場合に、当該車両についての車両管理情報を更新する。
【００４８】
例えば、更新部１１０は、判定部１０８により請求に係る車両の識別情報により識別される車両の状況が廃車状態に変更されたと判定した場合には、当該車両が廃車であることを示すように車両管理情報を更新する。
具体的には、更新部１１０は、車両の識別情報に関連付けて廃車フラグ（初期値「Ｆ（偽）：廃車でない」）を設定するとともに、廃車状態に変更されたと判定された車両の廃車フラグの値を「Ｔ（真）：廃車状態」に更新する。
【００４９】
また例えば、更新部１１０は、回答情報取得部１０６により取得した車検証情報と、管理情報取得部１０２により取得した車両管理情報とにおいて共通する項目の情報が一致しない場合には、当該項目の値を、車検証情報に記載された情報により上書きする。これにより、車両管理情報のデータを、車検証情報に記載されたデータに合うように更新することができる。
【００５０】
また、更新部１１０は、回答情報取得部１０６により取得した車検証情報に含まれる特定の項目（ここでは「型式」）に関連付けて付加情報テーブルＴ１に記憶される付加情報を、車両管理情報に追加することとしてよい。
【００５１】
ここで、図７には、更新部１１０により更新された車両管理情報の一例である車両管理情報テーブルＴ３を示した。図７に示されるように、車両管理情報テーブルＴ３は、車両管理情報テーブルＴ２に対して、上記説明した廃車フラグ、共通項目の値の更新、付加情報の追加を行ったものである。
【００５２】
出力部１１２は、主に車両情報更新装置１０の制御部１１、記憶部１２及び記憶媒体リーダライタ１４により実現される。
出力部１１２は、更新部１１０により更新された車両管理情報（車両管理情報テーブルＴ３）を、記憶媒体リーダライタ１４により出力記憶媒体Ｍ２に書き込むことでデータを出力する。
また、出力部１１２による出力態様は記憶媒体への書込に限られず、顧客情報管理サーバへのアップロード、顧客の電子メールアドレスへの添付送信等、各種の態様を採用してもよい。
【００５３】
［４．車両情報管理システム１における処理の流れについて］
次に、図８及び図９に基づいて、車両情報管理システム１において実行される処理の流れを具体的に説明する。
【００５４】
［４．１．車検証情報の取得処理］
まず、図８に示すシーケンス図に基づいて、車両情報更新装置１０と車検証情報提供サーバ２０により実行される車検証情報の取得処理について説明する。
【００５５】
図８に示すように、車両情報更新装置１０の制御部１１は、入力記憶媒体Ｍ１に記憶される顧客の車両管理情報（例えば車両管理情報テーブルＴ２）を、記憶媒体リーダライタ１４を介して取得する（Ｓ１０１）。
【００５６】
次に、車両情報更新装置１０の制御部１１は、例えば顧客の車両管理情報における登録番号及び車台番号からなる車両の識別情報を抽出条件に設定する（Ｓ１０２）。
そして、車両情報更新装置１０の制御部１１は、上記設定した抽出条件に合致する車両の車検証情報を車検証情報提供サーバ２０に請求する（Ｓ１０３）。ここでは、車両情報更新装置１０の制御部１１は、通信部１３を介して上記の抽出条件を車検証情報提供サーバ２０に送信することで、上記の請求を実行することとする。
【００５７】
車検証情報提供サーバ２０は、車両情報更新装置１０からの請求を受け付けると（Ｓ２０１）、請求に係る抽出条件を満足する車検証情報を、車検証データベースＤＢから抽出する（Ｓ２０２）。
具体的には、車検証情報提供サーバ２０は、抽出条件に含まれる車両の識別情報（登録番号と車台番号）を含む車検証情報を、車検証データベースＤＢから抽出する。
【００５８】
次に、車検証情報提供サーバ２０は、上記抽出した車検証情報を車両情報更新装置１０に送信する（Ｓ２０３）。なお、Ｓ２０２で抽出条件に合致する車検証情報が抽出されなかった場合には、車両情報更新装置１０に対してＮＵＬＬ（該当無し）を返すこととしてよい。
【００５９】
車両情報更新装置１０の制御部１１は、通信部１３を介して車検証情報提供サーバ２０から車検証情報を受信し（Ｓ１０４）、受信した車検証情報を記憶部１２に格納する（Ｓ１０５）。
以上が、車両情報更新装置１０が、顧客の車両管理情報において管理される車両の車検証情報を車検証情報提供サーバ２０から取得する処理の一例である。
なお、Ｓ１０２で設定される抽出条件は、車両管理情報に含まれる複数（例えば全て）の車両の識別情報を指定するものとしてもよいし、１つの車両の識別情報を指定するものとしてもよい。ここで、抽出条件が１つの車両の識別情報を指定するものである場合には、車両管理情報に含まれる各車両について上記のＳ１０２乃至Ｓ１０５の処理を繰り返し実行することとしてよい。
【００６０】
［４．２．車両管理情報の更新処理］
次に、図９に示すフロー図に基づいて、車両情報更新装置１０において実行される顧客の車両管理情報の更新処理の一例について説明する。なお、以下に説明するフローにおいては、顧客の車両管理情報のレコード数は、Ｎ（１以上の整数）とする。
まず、車両情報更新装置１０の制御部１１は、顧客の車両管理情報（車両管理情報テーブルＴ２）に廃車フラグと付加情報を記憶するフィールドを新たに追加して、更新後の車両管理情報のテーブル（車両管理情報テーブルＴ３）を生成する。
【００６１】
図９に示されるように、車両情報更新装置１０の制御部１１は、変数ｉの初期値を１にセットして（Ｓ１１１）、車両管理情報（車両管理情報テーブルＴ２）のｉ番目のレコードに対応する車両Ｖｉの車検証情報が、車検証情報提供サーバ２０から取得されたか（記憶部１２に記憶されているか）否かを判定する（Ｓ１１２）。
【００６２】
車両Ｖｉの車検証情報が取得された場合には（Ｓ１１２：Ｙ）、車両情報更新装置１０の制御部１１は、車両Ｖｉの廃車フラグを「Ｆ（偽）」に設定する（Ｓ１１３）。
【００６３】
次に、車両情報更新装置１０の制御部１１は、車両Ｖｉの車両管理情報（レコード）と、車検証情報の内容を比較する（Ｓ１１４）。
例えば、車両情報更新装置１０の制御部１１は、車両Ｖｉの車両管理情報と車検証情報において共通する項目ごとに、データ内容が一致するか否かを判定することで上記の比較を実行する。
【００６４】
Ｓ１１４での比較の結果、車両Ｖｉの車両管理情報（レコード）に記憶すべき情報に変更がある場合には（Ｓ１１５：Ｙ）、車両情報更新装置１０の制御部１１は、車両Ｖｉの車両管理情報を車検証情報に基づいて更新する（Ｓ１１６）。
具体的には、車両情報更新装置１０の制御部１１は、車両Ｖｉの車両管理情報と車検証情報において共通する項目ごとに、データ内容が一致しない場合には、車両管理情報に記憶される項目のデータを、車検証情報に記憶される項目のデータにより上書きすることとする。
また、Ｓ１１４での比較の結果、車両Ｖｉの車両管理情報（レコード）に記憶すべき情報に変更がない場合（Ｓ１１５：Ｎ）、又はＳ１１６の処理の後には、Ｓ１１７の処理に進む。
【００６５】
次に、車両情報更新装置１０の制御部１１は、車両Ｖｉの車検証情報に含まれる特定項目（例えば「型式」）に関連付けて付加情報テーブルＴ１に記憶される付加情報を取得し（Ｓ１１７）、取得した付加情報を車両管理情報（レコード）に追加（格納）する（Ｓ１１８）。
【００６６】
また、Ｓ１１２において、車両Ｖｉの車検証情報が取得されなかった場合（すなわち、車両ＶｉについてＮＵＬＬが返った場合）には（Ｓ１１２：Ｎ）、車両情報更新装置１０の制御部１１は、車両Ｖｉの廃車フラグを「Ｔ（真）」に設定する（Ｓ１１９）。
【００６７】
Ｓ１１８又はＳ１１９の後に、変数ｉがＮに達していない場合には（Ｓ１２０：Ｎ）、車両情報更新装置１０の制御部１１は、変数ｉに１を加算して（Ｓ１２１）、Ｓ１１２に戻る。
一方、変数ｉがＮに達している場合には、（Ｓ１２０：Ｙ）、車両情報更新装置１０の制御部１１は、記憶媒体リーダライタ１４により更新後の車両管理情報を出力記憶媒体Ｍ２に書き込んで（Ｓ１２２）、処理を終了する。
更新後の車両管理情報が書き込まれた出力記憶媒体Ｍ２は、顧客に提供することとしてよい。
【００６８】
以上説明した車両情報更新装置１０によれば、車両管理情報に示される車両の管理状況に変更があるか否かを、車検証の情報に基づいて判定することができる。
また、車両情報更新装置１０によれば、車両管理情報において管理される車両の廃車状況を車両管理情報に含めるよう更新できる。これにより、車両管理情報から各車両の廃車状況を把握できる。
また、車両情報更新装置１０によれば、車両管理情報が車検証情報の記載内容と一致するように、車両管理情報を更新できる。
また、車両情報更新装置１０によれば、車両管理情報に車両に関する付加情報を追加することができる。これにより、車両管理情報に含まれる車両の情報量を増やすことができる。
また、車両情報更新装置１０によれば、更新した車両管理情報を提供することができる。
【００６９】
［５．その他の実施形態］
本発明は上記の実施形態に限定されるものではない。以下、上記実施形態の変形例について説明する。
【００７０】
〔１〕例えば、車両情報更新装置１０から車検証情報提供サーバ２０への車検証情報の請求は、車両の抽出条件を記載した記憶媒体を車検証情報提供サーバ２０に送付することにより行ってもよい。
この場合には、車検証情報提供サーバ２０は、請求に係る抽出条件に基づいて抽出した車検証情報を記憶した記憶媒体を車両情報更新装置１０に送付することとしてよい。そして、車両情報更新装置１０は、送付された記憶媒体から車検証情報を読み出すことで、車検証情報を取得することとしてよい。
【００７１】
〔２〕また例えば、車検証情報を登録したデータベースは複数あることとしてもよく、車両情報更新装置１０は複数のデータベースからそれぞれ車検証情報を取得することとしてもよい。具体的には、第１の種類の車両（例えば普通車）の車検証情報を登録した第１のデータベースと、第２の種類の車両（例えば軽自動車）の車検証情報を登録した第２のデータベースのそれぞれから車両情報更新装置１０は車検証情報を取得することとしてよい。
ここで、車両情報更新装置１０は、第１のデータベースからはネットワークＮを介して車検証情報を取得し、第２のデータベースからは記憶媒体を通じて車検証情報を取得することとしてもよい。
【００７２】
〔３〕また、車両情報更新装置１０が顧客の車両管理情報を蓄積した顧客情報管理サーバから車両管理情報をダウンロードし、ダウンロードした車両管理情報を更新する場合には、例えば以下のタイミングで処理を実行することとしてよい。
（Ａ）予め定められた時間の経過ごとのタイミング（定期的タイミング）
（Ｂ）顧客からの依頼を受け付けたタイミング
なお、依頼を受け付けた後には、車両情報更新装置１０は、顧客の端末に対して依頼を受け付けた旨を通知することとしてよい。そして、更新作業が完了後に、車両情報更新装置１０は、更新完了の通知、又は更新された車両管理情報を顧客の端末に対して送信することとしてよい。
車両情報更新装置１０は、更新完了の通知後に、顧客の端末からの要求に応じて、更新後の車両管理情報を提供することとしてよい。
また、車両情報更新装置１０は、更新後の車両管理情報を顧客情報管理サーバに保存し、顧客の端末が顧客情報管理サーバからダウンロードするようにしてもよい。
【００７３】
〔４〕また、車両情報更新装置１０は、所定の期間中に１以上の顧客からそれぞれ受け付けた車両管理情報を一括して処理することとしてもよい。この際、車両の識別情報に基づいて車検証情報を、各顧客の車両管理情報にマッチングさせて、車両管理情報の更新処理を実行することとしてよい。
【００７４】
〔５〕また、車両情報更新装置１０は、更新後の車両管理情報を、電子メールへの添付、インターネット、専用回線等のネットワークを通じたファイル転送等の各種データ提供態様により顧客に提供することとしてよい。
なお、データの提供態様は、顧客ごとに指定された態様で行うこととしてよい。
【００７５】
〔６〕また、車両管理情報に追加する付加情報は、顧客ごとに指定されることとしてもよい。
【符号の説明】
【００７６】
ＤＢ  車検証データベース
Ｍ１  入力記憶媒体
Ｍ２  出力記憶媒体
Ｎ  ネットワーク
Ｔ１  付加情報テーブル
Ｔ２  車両管理情報テーブル（更新前）
Ｔ３  車両管理情報テーブル（更新後）
１  車両情報管理システム
１０  車両情報更新装置
１１  制御部
１２  記憶部
１３  通信部
１４  記憶媒体リーダライタ
２０  車検証情報提供サーバ
１００  付加情報記憶部
１０２  管理情報取得部
１０４  請求部
１０６  回答情報取得部
１０８  判定部
１１０  更新部
１１２  出力部
【図１】
2018005774.tif 000003
【図２】
2018005774.tif 000004
【図３】
2018005774.tif 000005
【図４】
2018005774.tif 000006
【図５】
2018005774.tif 000007
【図６】
2018005774.tif 000008
【図７】
2018005774.tif 000009
【図８】
2018005774.tif 000010
【図９】
2018005774.tif 000011